(57)【要約】  陳列棚のための扉ユニットである。扉ユニットは、少なくとも２つの摺動する扉を使用時に保持する枠体を備えている。連結手段は、第一の扉が開放されるときに第二の扉と係合してこの第二の扉を引き寄せて開放させ、第二の扉が開放されるときに非係合となって第一の扉の閉扉を維持させるように、２つの扉を選択的に連結させる。【選択図】図１
2014527444.tif 000002
【特許請求の範囲】
【請求項１】
陳列棚のための扉ユニットであって、
枠体であり少なくとも２つの摺動する扉を、前記扉が開放位置と閉扉位置とに摺動可能であって当該枠体の異なる開口を閉扉するように保持する枠体を備え、
複数の前記扉は、少なくとも一つの前記扉が摺動する方向に対して垂直方向に互いにオフセットしており、かつ、
第一の前記扉が開放されるときに第二の前記扉と係合して前記第二の扉を引き寄せて開放させ、前記第二の扉が開放されるときに非係合となって前記第一の扉の閉扉を維持させるように２つの前記扉を選択的に連結させる連結手段を備える扉ユニット。
【請求項２】
複数の前記扉が互いに隣接している請求項１に記載の扉ユニット。
【請求項３】
複数の前記扉が上部扉および下部扉を含む請求項１に記載の扉ユニット。
【請求項４】
複数の前記扉が同方向に摺動するように配置されている請求項１から３のいずれか一項に記載の扉ユニット。
【請求項５】
前記連結手段が、２つの前記扉を、前記第一の扉が開放されるときに互いに係合させ前記第二の扉が開放されるときに互いに非係合とする歯部および切欠部の配置構造を含む請求項１から４のいずれか一項に記載の扉ユニット。
【請求項６】
前記枠体が、標準的な陳列棚に対して後装着可能に設けられている上記いずれかの請求項に記載の扉ユニット。
【請求項７】
一または複数の前記扉を自動的に閉じることが可能な一または複数の閉扉機構を更に備える上記いずれかの請求項に記載の扉ユニット。
【請求項８】
前記閉扉機構が、油圧閉扉機構、付勢錘閉扉機構、錘付き滑車、バネ付きラチェット、または巻線バネ駆動による機構、のうちの一または複数を含む上記いずれかの請求項に記載の扉ユニット。
【請求項９】
前記扉が不透明材料で作成されている上記いずれかの請求項に記載の扉ユニット。
【請求項１０】
広告物または陳列物を取り付け可能に構成されている上記いずれかの請求項に記載の扉ユニット。
【請求項１１】
前記連結手段が、前記枠体に設置された部材によって覆い隠されている上記いずれかの請求項に記載の扉ユニット。
【請求項１２】
一または複数の棚板を収容する筐体と、前記筐体に保持される上記いずれかの請求項に記載の扉ユニットと、を備える陳列棚。
【発明の詳細な説明】
【技術分野】
【０００１】
本発明は、棚扉（キャビネットドア）に関する。具体的には、小売陳列環境で用いられる棚扉に関する。
【背景技術】
【０００２】
近年、政府機関省庁では、特定の製品を消費者に販売することを許容しながらも小売環境でこれらを陳列することを規制する動きがある。たとえば、ある関係官庁は、小売業者がたばこ製品を陳列できることに制限を設けている。
【発明の概要】
【発明が解決しようとする課題】
【０００３】
このような規制を導入することにより小売業者には問題が生じうる。
【０００４】
第一に、多くの小売業者はこの種の製品を陳列するための陳列棚に多大な投資をしてきており、またこのような規制の要求を満足するために陳列棚を置き換える必要に迫られうることになる。
【０００５】
加えて、陳列が規制されることで、小売業者にとっては消費者に新製品や改良製品を認識してもらうことが妨げられてしまう。
【０００６】
更に、この種の製品を保持しておく適切な棚構造が無い場合、顧客が製品を売り物として手にするときを除いて常にこの製品を確実に陳列しないでおくことは困難となりうるため、小売業者は規制に違反してしまうリスクを抱えることとなる。
【０００７】
本発明は上記の課題やその他の課題を解決しようとするものである。
【課題を解決するための手段】
【０００８】
本発明によれば、陳列棚のための扉ユニットであって、枠体であり少なくとも２つの摺動する扉を、これらの扉が開放位置と閉扉位置とに摺動可能であって当該枠体の異なる開口を閉扉するように保持する枠体を備え、複数の扉は、少なくとも一つの扉が摺動する方向に対して垂直方向に互いにオフセットしており、かつ、第一の扉が開放されるときに第二の扉と係合して第二の扉を引き寄せて開放させ、第二の扉が開放されるときに非係合となって第一の扉の閉扉を維持させるように２つの扉を選択的に連結させる連結手段を備える扉ユニットが提供される。
【０００９】
複数の扉は互いに隣接していて同方向に摺動するように配置されていてもよい。連結手段は、２つの扉を、第一の扉が開放されるときに互いに係合させ第二の扉が開放されるときに互いに非係合とする歯部および切欠部の配置構造でもよい。
【００１０】
枠体は、標準的な陳列棚に対して後装着可能に設けられていてもよい。
【００１１】
この扉ユニットは、一または複数の扉を自動的に閉じることが可能な一または複数の閉扉機構を更に備えてもよい。この閉扉機構は、油圧閉扉機構、付勢錘閉扉機構、錘付き滑車、バネ付きラチェット、または巻線バネ駆動による機構、のうちの一または複数を含んでもよい。
【００１２】
扉は、不透明材料で作成されているとよい。
【００１３】
この扉ユニットおよび／または枠体および／または扉は、広告または陳列に向けた素材を容易に取り付け可能に構成されていてもよい。
【発明の効果】
【００１４】
本発明の扉ユニットによれば、小売業者は、消費者が求める製品を手にする間に、自動的に、選択肢となる商品をユーザに対して選択的に陳列することができる。更に、小売業者は、本発明の扉ユニットを後装着することにより、棚全体を新たに設置することなく、陳列規制の要求を満足することができる。
【００１５】
また、扉が自動的に閉じることで、小売業者は、不注意で扉を開けたまま放置しても製品が露呈（ディスプレイ）されつづけることなく、アクセスされたときのみ製品を露呈させることを確実に行うことができる。
【図面の簡単な説明】
【００１６】
本発明の実施例を、以下の図面を参照して説明する。
【図１】図１は、本発明のユニットの正面図である。
【図２】図２Ａおよび図２Ｂは、図１のユニットの開放状態を示す。
【図３】図３は、４つの摺動扉が設けられた本発明の他の形態を示す。
【図４Ａ】図４Ａから図４Ｆは、本発明の一部として採用しうる種々の他の選択肢にかかる自動閉扉構造を示す。
【図４Ｂ】図４Ａから図４Ｆは、本発明の一部として採用しうる種々の他の選択肢にかかる自動閉扉構造を示す。
【図４Ｃ】図４Ａから図４Ｆは、本発明の一部として採用しうる種々の他の選択肢にかかる自動閉扉構造を示す。
【図４Ｄ】図４Ａから図４Ｆは、本発明の一部として採用しうる種々の他の選択肢にかかる自動閉扉構造を示す。
【図４Ｅ】図４Ａから図４Ｆは、本発明の一部として採用しうる種々の他の選択肢にかかる自動閉扉構造を示す。
【図４Ｆ】図４Ａから図４Ｆは、本発明の一部として採用しうる種々の他の選択肢にかかる自動閉扉構造を示す。
【図５】図５は、覆い隠された連結手段を備える枠体の他の形態を示す。
【図６】図６は、覆い隠された連結手段を備える更なる形態の詳細な断面図である。
【発明を実施するための形態】
【００１７】
図１を参照し、本発明の一例にかかるユニットは、上端および下端の部材６と側辺の部材８とで形成される枠体により形成されている。部材６および部材８は、出荷時には一式（ユニット）となり使用時に棚枠（キャビネットフレーム）に取り付けられてもよく、またはこれに代えて、予め設置された既存の陳列棚に近接させて後装着により設けられてもよい。本実施例では、枠体の部材６および部材８は固定扉１、４を支持しており、これらは不透明材料で作成されている。また、部材６および部材８はレール７および摺動する扉（摺動扉）２、３を支持している。摺動する扉２、３は、レール７の上を、図１に示す閉扉位置と、図２ａ、２ｂに示す開放位置と、の間で摺動する。さらに、扉２、３は不透明材料で作成されている。閉扉位置にあるこのユニットが装着された状態で、枠体の部材６および部材８が取り付けられた棚の内容物は消費者から視認することはできない。
【００１８】
連結装置５は、互いに隣接する扉２、３の縁部に配置されている。図示のように、上部扉２と下部扉３は、枠体の異なる開口を閉扉する。これらの扉２、３は、当該扉が摺動する方向に対して垂直方向に互いにオフセットしている。図１に示す例では、歯部および切欠部（ノッチ）の配置構造が、その使用時に、上部扉２が開放位置に向って摺動すると歯部および切欠部の配置構造が非係合となって上部扉２のみが開放されるように構成されている。また一方、歯部および切欠部の配置構造は、下部扉３が開放されると歯部および切欠部の配置構造が係合し、また下部扉３が開放されるのに伴って上部扉２が引き寄せられて開放されるように構成されている。かかる形態により、棚内のどの位置にある内容物（製品）に置き換えの必要が生じたときでもこの製品を視認することができるため、小売業者は置き台（ガントリー）や在庫の管理にあたって製品を極めて適切かつ整然と配置することができる。
【００１９】
当然のことながら、歯部および切欠部の他の配置構造を設けてもよい。たとえば、図１、２Ａおよび２Ｂでは単純な段差構造を図示したが、切欠部は三角形状でもよい。また、同様の機能を実現するにあたり、より複雑な係合機構を設けてもよい。
【００２０】
これらの２つの扉の連結は、他の形態として、上部扉が開放されているときであっても、下部扉を常時開放するように構成してもよい。
【００２１】
図３は、固定扉１、４に代えて、第二の組み合わせにかかる摺動扉を備え、これらに適合する歯部および切欠部の配置構造が扉同士の間に設けられた他の形態を示す。この例では、第二の組み合わせ（セット）にかかるこれらの扉は、第一の組み合わせにかかる開き扉の背後で摺動して、棚の更なる領域にアクセスして第一実施例と同様の機能性を得ることができる。
【００２２】
上記手段は、上述したように、一または複数の摺動扉に設けられて、アクセスされていないときに扉が確実に自動的に閉じるようにしてもよい。図４Ａから図４Ｆは、これを達成するために用いられうる様々な実施例の構造を示す。
【００２３】
たとえば、図４Ａは、閉扉位置の摺動扉の近傍に油圧ピストン１０を配置することを示している。また、図４Ｂは、摺動扉を閉扉位置に向って付勢する旋回錘構造１１を示す。図４Ｃはバネ付きラチェット１２を示し、図４Ｄは錘付き滑車構造１３を示す。図４Ｅは、上記と同じ目的で設けられたバネ付きの伸長巻線１４を示す。やや複雑な他の例として、図４Ｆは、傾斜したレール７が扉に設けられて、閉扉位置に向って扉が自重で付勢されるように構成した例を示す。
【００２４】
図１の形態では、連結装置５は明確に視認することが可能である。
【００２５】
図５は、連結装置５を覆い隠すことが可能な、枠体の他の形態を示す。図１に対応する構成には同じ符号を付してある。図５の拡大図に示すように、中段レール７は、２本の対向する桟（バー）２１および２２の間に空間部２０を備えている。空間部２０があることで、第二の組み合わせにかかる扉１、４は、空間部２０の内部に連結装置５を配置して、中段レール７の一方の桟２２によってこの連結装置５を掩蔽することができる。
【００２６】
図６は、中段レール７が第二の組み合わせにかかる扉１、４を支持して、連結装置５が中段レール７の背面側にて延在することにより覆い隠されるように構成した他の形態を示す。
【００２７】
図５または図６に示すいずれかの実施例の構成を、先述の実施例のいずれに適用して連結装置５を覆い隠してもよい。
【００２８】
上記の説明により理解されるように、本発明によれば、特定の製品を陳列するにあたって小売業者が簡単かつ効率的に法規制の変更に対応することが可能な棚扉（キャビネットドア）のセットが提供される。また、小売業者は置き台や在庫の管理にあたって製品を極めて適切かつ整然と配置することができ、また小売業者は棚の全体に亘って内容物を観察することができる。
【図１】
2014527444.tif 000003
【図２】
2014527444.tif 000004
【図３】
2014527444.tif 000005
【図４Ａ】
2014527444.tif 000006
【図４Ｂ】
2014527444.tif 000007
【図４Ｃ】
2014527444.tif 000008
【図４Ｄ】
2014527444.tif 000009
【図４Ｅ】
2014527444.tif 000010
【図４Ｆ】
2014527444.tif 000011
【図５】
2014527444.tif 000012
【図６】
2014527444.tif 000013
【国際調査報告】
2014527444.tif 000014
2014527444.tif 000015